(57)【要約】【課題】  それぞれが複数色の画素を有する複数の画素群を有するカラー液晶パネルを駆動する技術を提供する。【解決手段】  この技術では、フレーム期間に対して第１の画素群の所定色の画素に指示されたグレースケール値に基づいて、フレーム期間中の第１のサブフレーム期間に前記画素に供給する第１の信号と、フレーム期間中の第２のサブフレーム期間に前記画素に供給する第２の信号を設定する。そして、第１の信号は第１の極性と第２の極性の一方に設定し、第２の信号は第１の極性と第２の極性の一方に設定する。それにより、前記画素は、第１の極性と第２の極性の一方を有する第１の信号と、第１の極性と第２の極性の一方を有する第２の信号を順に用いる第１の駆動順序によって駆動される。このとき、第１の画素群に隣接する第２の画素群の前記所定色の画素を、第１の駆動順序と等しい第２の駆動順序で駆動する。【選択図】図５
2006276852.tif 000002
【特許請求の範囲】
【請求項１】
それぞれが複数色の画素を有する複数の画素群を有する表示装置を駆動する方法であって、
フレーム期間に対して第１の画素群の所定色の画素に指示されたグレースケール値に基づいて、前記フレーム期間中の第１のサブフレーム期間に前記画素に供給する第１の信号と、前記フレーム期間中の第２のサブフレーム期間に前記画素に供給する第２の信号を設定するステップと、
前記第１の信号の極性を第１の極性と第２の極性の一方に設定し、前記第２の信号を前記第１の極性と第２の極性の一方に設定するステップと、
前記第１の極性と第２の極性の一方を有する第１の信号と、前記第１の極性と第２の極性の一方を有する第２の信号とを順に用いる第１の駆動順序で前記画素を駆動するステップと、
前記第１の画素群に隣接する第２の画素群の前記所定色の画素を、前記第１の駆動順序と等しい第２の駆動順序で駆動ステップと、
を備える駆動方法。
【請求項２】
前記第１の信号が前記第１の極性に設定され、前記第２の信号が前記第１の極性と反対である前記第２の極性に設定されることを特徴とする請求項１の方法。
【請求項３】
前記第１の信号が前記第１の極性に設定され、前記第２の信号が前記第１の極性に設定されることを特徴とする請求項１の方法。
【請求項４】
前記第１の駆動順序が、前記第２の駆動順序に対して所定期間だけずれていることを特徴とする請求項１の方法。
【請求項５】
前記第１の駆動順序が、前記第２の駆動順序に対して１サブフレーム期間だけずれていることを特徴とする請求項１の方法。
【請求項６】
前記第１の駆動順序が、前記第２の駆動順序に対して２サブフレーム期間だけずれていることを特徴とする請求項１の方法。
【請求項７】
前記フレーム期間に続く第２のフレーム期間に対して前記画素に指示されたグレースケール値に基づいて、前記第２のフレーム期間中の第１のサブフレーム期間に前記画素に供給する第３の信号と、前記第２のフレーム期間中の第２のサブフレーム期間に前記画素に供給する第４の信号を設定するステップと、
前記第３の信号を第１の極性と第２の極性の一方に設定し、前記第４の信号を第１の極性と第２の極性の一方に設定するステップとが付加されており、
前記第１の駆動順序では、前記第１の極性と第２の極性の一方を有する前記第１の信号と、前記第１の極性と第２の極性の一方を有する前記第２の信号と、前記第１の極性と第２の極性の一方を有する前記第３の信号と、前記第１の極性と第２の極性の一方を有する前記第４の信号を順に用いることを特徴とする請求項１の方法。
【請求項８】
前記第１の信号が正の極性を有する明状態信号であり、前記第２の信号が負の極性を有する暗状態信号であり、前記第３の信号が正の極性を有する明状態信号であり、前記第４の信号が負の極性を有する暗状態信号であることを特徴とする請求項７の方法。
【請求項９】
前記第１の信号が負の極性を有する明状態信号であり、前記第２の信号が正の極性を有する暗状態信号であり、前記第３の信号が負の極性を有する明状態信号であり、前記第４の信号が正の極性を有する暗状態信号であることを特徴とする請求項７の方法。
【請求項１０】
前記第１の信号が正の極性を有する明状態信号であり、前記第２の信号が正の極性を有する暗状態信号であり、前記第３の信号が負の極性を有する明状態信号であり、前記第４の信号が負の極性を有する暗状態信号であることを特徴とする請求項７の方法。
【請求項１１】
前記第１の信号が正の極性を有する明状態信号であり、前記第２の信号が負の極性を有する暗状態信号であり、前記第３の信号が負の極性を有する明状態信号であり、前記第４の信号が正の極性を有する暗状態信号であることを特徴とする請求項７の方法。
【請求項１２】
前記第１の極性と第２の極性は、正のガンマ極性と負のガンマ極性であることを特徴とする請求項１の方法。
【請求項１３】
前記第１の信号と第２の信号は、ユーザが調整可能であることを特徴とする請求項１の方法。
【請求項１４】
前記画素群は、第１の色の画素と第２の色の画素と第３の色の画素を備えており、
前記第１の画素群および第２の画素群の第２の色の画素は、前記第１の駆動順序および第２の駆動順序と等しい駆動順序で駆動され、
前記第１の画素群および第２の画素群の第３の色の画素は、前記第１の駆動順序および第２の駆動順序と等しい駆動順序で駆動されることを特徴とする請求項１の方法。
【請求項１５】
それぞれが複数色の画素を有する複数の画素群を有する表示装置を駆動する装置であって、
フレーム期間に対して第１の画素群の所定色の画素に指示されたグレースケール値に基づいて、前記フレーム期間中の第１のサブフレーム期間に前記画素に供給する第１の信号と、前記フレーム期間中の第２のサブフレーム期間に前記画素に供給する第２の信号を設定する表示信号制御装置と、
前記第１の信号の極性を第１の極性と第２の極性の一方に設定し、前記第２の信号を前記第１の極性と第２の極性の一方に設定し、前記第１の極性と第２の極性の一方を有する第１の信号と前記第１の極性と第２の極性の一方を有する第２の信号とを順に用いる第１の駆動順序によって前記画素を駆動する極性制御装置とを備え、
前記表示信号制御装置と前記極性制御装置は、前記第１の画素群に隣接する第２の画素群の前記所定色の画素を、前記第１の駆動順序と等しい第２の駆動順序で駆動することを特徴とする駆動装置。
【請求項１６】
前記第１の信号が正のガンマ極性に設定された明状態信号であり、前記第２の信号が負のガンマ極性に設定された暗状態信号であることを特徴とする請求項１５の駆動装置。
【請求項１７】
前記第１の信号が負のガンマ極性に設定された明状態信号であり、前記第２の信号が正のガンマ極性に設定された暗状態信号であることを特徴とする請求項１５の駆動装置。
【請求項１８】
前記第１の信号が正のガンマ極性に設定された明状態信号であり、前記第２の信号が正のガンマ極性に設定された暗状態信号であることを特徴とする請求項１５の駆動装置。
【請求項１９】
前記第１の駆動順序は、前記第２の駆動順序に対して１サブフレーム期間だけずれていることを特徴とする請求項１５の駆動装置。
【請求項２０】
前記第１の駆動順序は、前記第２の駆動順序に対して２サブフレーム期間だけずれていることを特徴とする請求項１５の駆動装置。
【請求項２１】
前記表示信号制御装置は、前記フレーム期間に続く第２のフレーム期間に対して前記画素に指示されたグレースケール値に基づいて、前記第２のフレーム期間中の第１のサブフレーム期間に前記画素に供給する第３の信号と、前記第２のフレーム期間中の第２のサブフレーム期間に前記画素に供給する第４の信号を設定し、
前記極性制御装置は、前記第３の信号を前記第１の極性と第２の極性の一方に設定し、前記第４の信号を前記第１の極性と第２の極性の一方に設定し、前記第１の極性と第２の極性の一方を有する前記第１の信号と、前記第１の極性と第２の極性の一方を有する前記第２の信号と、前記第１の極性と第２の極性の一方を有する前記第３の信号と、前記第１の極性と第２の極性の一方を有する前記第４の信号とを順に用いる第１の駆動順序によって前記画素を駆動することを特徴とする請求項１５の駆動装置。
【請求項２２】
前記第１の信号が正の極性を有する明状態信号であり、前記第２の信号が負の極性を有する暗状態信号であり、前記第３の信号が正の極性を有する明状態信号であり、前記第４の信号が負の極性を有する暗状態信号であることを特徴とする請求項２１の駆動装置。
【請求項２３】
前記第１の信号が負の極性を有する明状態信号であり、前記第２の信号が正の極性を有する暗状態信号であり、前記第３の信号が負の極性を有する明状態信号であり、前記第４の信号が正の極性を有する暗状態信号であることを特徴とする請求項２１の駆動装置。
【請求項２４】
前記第１の信号が正の極性を有する明状態信号であり、前記第２の信号が正の極性を有する暗状態信号であり、前記第３の信号が負の極性を有する明状態信号であり、前記第４の信号が負の極性を有する暗状態信号であることを特徴とする請求項２１の駆動装置。
【請求項２５】
前記第１の信号が正の極性を有する明状態信号であり、前記第２の信号が負の極性を有する暗状態信号であり、前記第３の信号が負の極性を有する明状態信号であり、前記第４の信号が正の極性を有する暗状態信号であることを特徴とする請求項２１の駆動装置。
【請求項２６】
前記表示信号制御装置と前記極性制御装置は、
前記第１の駆動順序を用いて前記第１の画素群の第２の色の画素を駆動し、
前記第１の駆動順序を用いて前記第１の画素群の第３の色の画素を駆動し、
前記第２の駆動順序を用いて前記第２の画素群の第２の色の画素を駆動し、
前記第２の駆動順序を用いて前記第２の画素群の第３の色の画素を駆動することを特徴とする請求項１５の駆動装置。
【請求項２７】
前記表示信号制御装置と極性制御装置は、前記第１の駆動順序とは異なる第３の駆動順序を用いて、前記第１の画素群の第２の色の画素を駆動することを特徴とする請求項１５の駆動装置。
【請求項２８】
それぞれが複数のカラー画素を有する複数の画素群を有するカラー表示パネルと、
前記カラー表示パネルに接続されている駆動装置を備える表示装置であって、
前記駆動装置は、
第１のフレーム期間に対して第１の画素群の所定色の画素に指示されたグレースケール値に基づいて、前記第１のフレーム期間中の各サブフレーム期間に第１の画素群の所定色の画素に供給する表示信号群を設定する表示信号制御装置と、
前記表示信号群のそれぞれに極性を設定し、それぞれが極性を有する前記表示信号群を順に用いる第１の駆動順序によって第１画素を駆動する極性制御装置を備え、
前記表示信号制御装置と前記極性制御装置は、前記第１の画素群に隣接する第２の画素群の前記所定色の画素を、前記第１の駆動順序と等しい第２の駆動順序で駆動することを特徴とする表示装置。
【請求項２９】
前記表示信号群は、明状態信号表示信号と暗状態表示信号を含むことを特徴とする請求項２８の表示装置。
【請求項３０】
表示信号制御装置は、前記第１のフレーム期間に続く第２のフレーム期間に対して、第２のフレーム期間中の各サブフレーム期間に第１の画素群の前記画素に供給する表示信号群をさらに設定し、
前記極性制御装置は、第２のフレーム期間における表示信号群のそれぞれに極性をさらに設定し、
前記第１の駆動順序では、それぞれが極性を有する第１フレーム期間における前記表示信号群と、前記第２フレーム期間における表示信号群とが順に用いられることを特徴とする請求項２９の表示装置。
【請求項３１】
前記第１の駆動順序は、前記第２の駆動順序に対して１サブフレーム期間だけずれていることを特徴とする請求項３０の駆動装置。
【請求項３２】
前記第１の駆動順序は、前記第２の駆動順序に対して２サブフレーム期間だけずれていることを特徴とする請求項３０の駆動装置。
【発明の詳細な説明】
【技術分野】
【０００１】
本発明は、カラー表示装置に関する。特に、カラー表示装置を駆動する駆動装置と駆動方法に関する。
【背景技術】
【０００２】
一般的に、液晶表示装置（ＬＣＤ）のような表示装置の光透過率は、観察者が表示画面を真正面から見るときと、角度をつけて見るときとによって異なる。これは異なる角度の入射光が液晶層において異なるリターデーションを生じるからである。従って、表示画面を異なる角度から観察すると、屈折率が観察角度に応じて変化することとなり、透過光の透過率の変化、即ち表示画面の輝度の変化が生じる。そのことから、表示画面を異なる角度から観察すると、ＬＣＤにより表示された画像の輝度も変化することとなる。
【０００３】
カラー液晶表示装置では、各色のカラー画素（例えば赤色画素、緑色画素、及び青色画素）の光が混合され、所望の色が表示される。観察方向による輝度の変化は、色に応じて異なる。その結果、いわゆる色ずれと呼ばれる現象が生じ、観察方向に応じて表示画像の色が変化するという問題が生じる。
【０００４】
上記の問題に対して、特許文献１は、異なる特性を有する複数の領域に画素を分割する表示装置を提案している。特許文献２は、２つの駆動装置を利用し、異なる観察角度に対応するガンマ曲線に応じて画素信号をフレーム期間毎に出力する技術を提案している。特許文献３は、少なくとも２行×２列の部分画素を利用し、元の画像信号を調節するための計算値を利用し、異なる比の明画素と暗画素を利用して、画像表示を完成させる方法を提案している。
【０００５】
【特許文献１】米国特許第５７１７４７４号明細書
【特許文献２】米国特許第５８４７６８８号明細書
【特許文献３】米国特許出願第２００２／０１４９５９８号明細書
【発明の開示】
【発明が解決しようとする課題】
【０００６】
特許文献１の表示装置では、製造後において調整することができないという問題が生じる。また、異なる観察方向に対して異なる領域が個々に対応することから、例えば十分な輝度が得られないという問題が生じる。
特許文献２の表示装置では、フレーム期間毎に行われる切換えによってちらつき現象が生じてしまうともに、各観察方向の画像表示には画素の半分しか利用されないという問題が生じる。画像の品質を低下させてしまうとともに、多くの観察方向に対応することも困難である。
特許文献３の表示装置では、種々の変化を表示するために複数の画素を利用し、各画素群を一単位として扱う必要があることから、色ずれのような問題を解決するために１７０ｄｐｉより大きい解像度が必要となってしまう。
【課題を解決するための手段】
【０００７】
本発明は、それぞれが複数色の画素を有する複数の画素群を有するカラー液晶パネルを駆動する技術を提供する。この技術では、フレーム期間に対して第１の画素群の所定色の画素に指示されたグレースケール値に基づいて、フレーム期間中の第１のサブフレーム期間に前記画素に供給する第１の信号と、フレーム期間中の第２のサブフレーム期間に前記画素に供給する第２の信号を設定する。そして、第１の信号は第１の極性と第２の極性の一方に設定し、第２の信号は第１の極性と第２の極性の一方に設定する。それにより、前記画素は、第１の極性と第２の極性の一方を有する第１の信号と、第１の極性と第２の極性の一方を有する第２の信号を順に用いる第１の駆動順序によって駆動される。このとき、第１の画素群に隣接する第２の画素群の前記所定色の画素を、第１の駆動順序と等しい第２の駆動順序で駆動する。
【発明を実施するための最良の形態】
【０００８】
以下、本発明の上記の目的、特徴および利点をさらに明らかにし理解しやすくするために、本発明を実施した複数の実施例を説明する。
【０００９】
三原色（例えば赤、緑、青）のそれぞれは、異なるグレースケール値で異なる色ずれを生じる。図１は、ＬＣＤ（液晶表示装置）２００を観察するユーザの位置Ｑを示している。図２ａから２ｃは、それぞれ赤色光、緑色光、青色光について、グレースケール値と正規化光透過率の関係を種々の観察方向に関して示している。ここでは、ＬＣＤの各画素が０から２５５の間のグレースケール値を持っていると仮定しよう。正面観察（ユーザがＬＣＤの真正面に位置している場合）での各グレースケール値の正規化光透過率は、正面観察光透過率となる。正面観察光透過率は、グレースケール値を、最大正面観察光透過率（例えば、ノーマリーブラック方式のＬＣＤではグレースケール値２５５）で割ったものに相当する。斜方観察（ユーザがＬＣＤに対して斜めに位置している場合）での各グレースケール値の正規化光透過率は、斜方観察光透過率となる。各グレースケール値の斜方観察光透過率は、グレースケール値を、最大グレースケール値（例えば、グレースケール値２５５）の斜方観察光透過率で割ったものに相当する。
【００１０】
図１に示すように、観察点Ｑの観察方向を角度θと角度φで示す。角度θは、観察点ＱとＬＣＤ２００の中心点（Ｃ）を結ぶ線と、ＬＣＤ２００のＺ軸（法線ベクトル）の成す角度である。角度φは、点Ｑの表示パネル２００への投影点とＬＣＤ２００の中心点（Ｃ）を結ぶ線と、Ｘ軸の成す角度である。例えば、観察方向（φ，θ）が（０，０）であれば、ユーザはＬＣＤ２００を真正面から観察することを意味する。観察方向（φ，θ）が（０，４５）又は（０，６０）であれば、ユーザはＬＣＤ２００を４５度又は６０度の角度から斜視することを意味する。
図２ａから図２ｃは、観察方向（φ，θ）が、（０，０）、（０，４５）、（０，６０）の場合のグレースケール値と正規化光透過率の関係を示している。また、観察方向（０，６０）と（０，０）の正規化光透過率の差も併せて示している。図２ａでは、曲線２０１、２０２、２０３が、それぞれ観察方向（０，０）、（０，４５）、（０，６０）の場合を示している。曲線２０４は、角度（０，６０）と（０，０）の正規化光透過率の差を示している。図２ｂでは、曲線２０５、２０６、２０７が、それぞれ観察方向（０，０）、（０，４５）、（０，６０）の場合を示している。曲線２０８は、角度（０，６０）と（０，０）の正規化光透過率の差を示している。図２ｃでは、曲線２０９、２１０、２１１が、それぞれ観察方向（０，０）、（０，４５）、（０，６０）の場合を示している。曲線２１２は、角度（０，６０）と（０，０）の正規化光透過率の差を示している。
【００１１】
図２ａから２ｃに示すように、カラー画素（赤、緑、青）のそれぞれは、同じグレースケール値であっても、観察者が正面にいるのか斜方にいるのかによって正規化光透過率が異なることとなり、それにより色ずれを生じる。しかしながら、グレースケール値が０又は２５５に近い場合には、正面観察と斜方観察における正規化光透過率の差は小さい（０％に近い）。そのことから、例えば青色画素の目標グレースケール値が１２８である場合、フレーム期間を第１サブフレーム期間と第２フレーム期間に区分するとともに、第１サブフレーム期間ではグレースケール値がゼロとなる暗状態表示を行い、第２サブフレーム期間ではグレースケール値が１９０となる明状態表示を行うことによって、フレーム期間全体ではグレースケール値が１２８となる表示を行うことができる。即ち、元のグレースケール値（即ち目標グレースケール値）は、暗状態グレースケール値と明状態グレースケール値の組み合わせからなる校正グレースケール値によって得ることができる。校正グレースケール値を用いた場合における斜方観察と正面観察の正規化光透過率差は、元のグレースケール値１２８を用いた場合における斜方観察と正面観察の正規化光透過率差より小さくなる。また、ＬＣＤを真正面から見たときに、元のグレースケール値と同じ明るさを得ることができる。従って、斜方観察と正面観察のＬＣＤ色ずれは、校正グレースケール値を用いることによって、低減することができる。
【００１２】
図３ａに示すように、カラー表示装置１０（例えばＬＣＤ）は、マトリクス状に配列されている複数の画素群１１、１２、・・・を備えている。各画素群１１、１２、・・・は、一つの赤色画素と、一つの緑色画素と、一つの青色画素を備えている。例えば、第１の画素群１１は、赤色画素１１１と緑色画素１１２と青色画素１１３を備えている。同様に、第２の画素群１２は、赤色画素１２１と、緑色画素１２２と、青色画素１２３を備えている。
【００１３】
通常、カラー表示装置において、一つの画面は、一つのフレーム時間（又はフレーム期間）に亘って表示される。「フレーム」とは、一の完全な画像又は一連の画像群における一画像を意味する。フレーム期間は、二つのサブフレーム期間に分割される。カラー表示装置は、第１のサブフレーム期間ではサブフレーム１による駆動信号に従って画像を表示し、第２のサブフレーム期間ではサブフレーム２による駆動信号に従って画像を表示する。図３ａに示すように、従来の駆動技術によると、第１のサブフレーム期間では、画像の全てのカラー画素は、より広い観察方向において色ずれが小さくなるように、明状態表示信号（図３ａにおけるＨ）によって駆動される。一方、第２のサブフレーム期間では、画面の全てのカラー画素はより広い観察方向において色ずれが小さくなるように、暗状態表示信号（図３ａにおけるＬ）によって駆動される。
上記に関して、図３ｂに示すように、青色画素の元のグレースケール値を１２８とすれば、その暗状態表示信号（暗状態グレースケール値）は０であり、明状態表示信号（明状態グレースケール値）は１９０である。これら二つの値を校正グレースケール値の組として使用して、元のグレースケール値１２８を得ることができる。
このように、画素を駆動して画像を表示するための表示信号は、それぞれが駆動電圧極性を有する明状態表示信号と暗状態表示信号の組によって構成することができる。しかしながら、駆動電圧極性の不釣合い、特に同じ色の隣接画素の駆動電圧極性の不釣合いは、表示画像においてちらつきを生じることがあり、視覚的に悪影響を与えてしまう。
【００１４】
ちらつきの原因は以下に述べられる。図３ｃは、液晶パネルの上下基板間の電圧と液晶分子の光透過率との関係を示している。図３ｃにおいて、Ｘ軸は上側基板の電圧がＶｃｏｍのときの下側基板の電圧を示し、Ｙ軸は液晶分子の光透過率Ｔ％を示している。ＬＣＤの駆動回路は、画素毎に上下基板間の電圧を変更して液晶分子の光透過率を変更することによって、画素毎に異なる輝度を生じさせている。液晶パネルの上側基板の電圧がＶｃｏｍのとき、下側基板の電圧とＶｃｏｍの差は液晶パネルに印加される電圧を示している。液晶パネルにおいて、上下基板間の電圧と液晶分子の光透過率との関係は線形ではなく、図３ｃに示すようなガンマ曲線で示される。そのことから、上側基板での電圧がＶｃｏｍに固定されるときに、下側基板の電圧はガンマ電圧と呼ばれる。
【００１５】
液晶の光透過率は液晶への印加電圧に応じて変化するが、その印加電圧の極性には概ね影響されない。従って、液晶パネルの上下基板間の電圧と液晶の光透過率との関係は、電圧Ｖｃｏｍを中心として概ね対称なガンマ曲線で示される。即ち、振幅が同じであれば、極性が異なる二つのガンマ電圧（例えば正の極性をもつガンマ電圧Ｖａと負の極性をもつガンマ電圧Ｖｂ）に対して、液晶の光透過率Ｔ０は略同一となる。例えば、上側基板の電圧がＶｃｏｍであって下側基板の電圧がＶａである画素と、上側基板の電圧がＶｃｏｍであって下側基板の電圧がＶｂである画素は、下側基板の電圧が互いに異なっているが、略同一の輝度を呈すこととなる。
【００１６】
画素に同じ極性の電圧が連続的に印加されると、画素の液晶分子は損傷を受けることがある。そのことから、液晶分子を保護するためには、基板間電圧の極性を交互に変更することが好ましい。例えば、画素が一定の明るさを連続的に示す必要がある場合、基板間の電圧の極性が交互に変更されるように、下側基板の画素を制御することが好ましい。それにより、画素の液晶分子が損傷を受けること防止しながら、一定の明るさを連続的に表示することが可能となる。
【００１７】
共通の電圧レベル（Ｖｃｏｍ）に対応して、明状態表示信号（例えば明状態グレースケール値１９０）は、正極性のガンマ電圧（＋Ｖ１９０）と負極性のガンマ電圧（−Ｖ１９０）をとることができる。同様に、暗状態表示信号（例えば暗状態グレースケール値０）は、正極性のガンマ電圧（＋Ｖ０）と負極性のガンマ電圧（−Ｖ０）をとることができる。
【００１８】
例えば、図３ａに示す第１の画素群１１の赤色画素１１１と第２の画素群１２の赤色画素１２１を取り上げる。従来の駆動手順では、これら二つの赤色画素１１１、１２１において、画素に印加する電圧とその極性が互いに異なっている。例えば、第１の画素群１１の赤色画素１１１に印加する駆動電圧は＋Ｖ１９０、−Ｖ０、＋Ｖ１９０、−Ｖ０の順に変化し、第１の画素群１１に隣接する第２の画素群１２の赤色画素１２１に印加する駆動電圧は−Ｖ１９０、＋Ｖ０、−Ｖ１９０、＋Ｖ０の順に変化する。液晶パネルでは、その特性がパネル全体に亘って厳密に均一でないことから、各画素における印加電圧とグレースケール値との関係は画素毎に変化する。そのことから、全ての画素の上側基板に共通電圧（Ｖｃｏｍ）を印加し、全ての画素の上側基板に同一の駆動電圧を印加した場合でも、画素毎に表示される明るさは完全に同一とはならない。隣接する画素群において同一色のカラー画素に対する駆動電圧の変化が異なる場合、共通電圧（Ｖｃｏｍ）に対する電位差に起因して画面のちらつきや解像度の劣化が生じることとなる。
【００１９】
ちらつきを低減するために、以下に説明する実施例によるカラー表示装置の駆動装置は、明状態表示信号又は暗状態表示信号がサブフレーム期間においてガンマ電圧極性と釣り合うようにすることによって、表示画像のちらつきや解像度の劣化を低減することを可能とする。
【００２０】
図４は、実施例の液晶表示装置の構成を模式的に示している。この液晶表示装置は、カラー表示パネル３０と、カラー液晶表示パネル３０を駆動する駆動システム４０を備えている。カラー表示パネル３０は、複数の画素群３１、３２、・・・を備えている。画素群は、マトリクス状に配列されており、各画素群は第１のカラー画素と第２のカラー画素と第３のカラー画素を備えている。ここでは、第１のカラー画素は赤色画素であり、第２のカラー画素は緑色画素であり、第３のカラー画素は青色画素である。第１の画素群３１は、赤色画素Ｒ１１と、緑色画素Ｇ１１と、青色画素Ｂ１１を備えている。同様に、第２の画素群３２は、赤色画素Ｒ１２と、緑色画素Ｇ１２と、青色画素Ｂ１２を備えている。なお、各カラー画素は、これらの色に限定されない。
【００２１】
駆動システム４０は、表示信号制御装置４１と、電圧極性制御装置４４と、タイミング制御装置４５を備えている。これらの制御装置は、別個のブロックとして図示されているが、これらの制御装置を一つの装置によって構成してもよく、あるいは複数の装置によって構成してもよい。
表示信号制御装置４１は、第１のルックアップテーブル４１１と、第２のルックアップテーブル４１２と、データセレクタ４１３を備えている。元の表示信号（各画素に指示されるグレースケール値）は、信号端（Ｓ）から入力される。元の表示信号は、第１のルックアップテーブル４１１と第２のルックアップテーブル４１２に入力され、第１のルックアップテーブル４１１と第２のルックアップテーブル４１２によってそれぞれ第１の表示信号（例えば、明状態表示信号）と第２の表示信号（例えば、暗状態標示信号）に変換される。第１のルックアップテーブル４１１と第２のルックアップテーブル４１２が出力する信号は、ユーザ等が表示画面を視認しながら調整可能としてもよい。データセレクタ４１３は、第１の表示信号と第２の表示信号の一方を選択し、電圧極性制御装置４４に出力する。電圧極性制御装置４４は、入力した表示信号のガンマ電圧極性を設定する。ガンマ電圧極性が設定された表示信号は、第１サブフレーム期間における第１の駆動信号となり、タイミング制御装置４５を介してデータ駆動装置４６に出力され、選択された画素を駆動する。次いで、データセレクタ４１３は、第１の表示信号と第２の表示信号の他方を選択し、電圧極性制御装置４４に出力する。電圧極性制御装置４４は、入力した表示信号のガンマ電圧極性を設定する。ガンマ電圧極性が設定された表示信号は、第１サブフレーム期間における第２の駆動信号となり、タイミング制御装置４５を介してデータ駆動装置４６に出力され、選択された画素を駆動する。タイミング制御装置４５はまた、走査駆動装置４７を動作させてカラー液晶表示パネル３０のなかの選択された画素群を選択的に駆動可能とする。表示信号制御装置４１やガンマ電圧極性制御装置４４の配置は、図示する形態に限定されない。
【００２２】
表示信号制御装置４１と電圧極性制御装置４４は、各カラー画素に対する駆動電圧の信号列を出力する。表示信号制御装置４１と電圧極性制御装置４４は、各カラー画素に対する駆動電圧を経時的に変化させる。以下、各カラー画素に対する駆動電圧を経時的に変化させる例について説明する。
（１）  駆動電圧を＋Ｈ、−Ｌ，＋Ｈ、−Ｌの順に変化させる例
この実施例は、後段において詳述するように、連続する２つのフレーム期間Ｎ，Ｎ＋１において、画素に印加する駆動電圧を＋Ｈ、−Ｌ，＋Ｈ、−Ｌと表記される順序で変化させるものである。
図５は、カラー表示パネル３０の一部の画素群の配列を示している。第１の画素群は、赤色画素Ｒ１１と、緑色画素Ｇ１１と、青色画素Ｂ１１を備えている。第２の画素群は、赤色画素Ｒ１２と、緑色画素Ｇ１２と、青色画素Ｂ１２を備えている。
ガンマ電圧極性制御装置４４は、図５に示すように、それぞれが第１サブフレームと第２サブフレームによって表示される複数のフレームＮ、Ｎ＋１において、各画素に印加するガンマ電圧極性を制御する。
【００２３】
ガンマ電圧極性制御装置４４は、第１サブフレームにおいて画素群のカラー画素に入力する第１のガンマ電圧極性と、第２サブフレームにおいて画素群のカラー画素に入力する第２のガンマ電圧極性を制御する。
例えば、フレームＮ（Ｎ番目の走査期間）では、サブフレーム１（第１の部分走査期間）における第１の画素群の赤色画素Ｒ１１のガンマ電圧極性は正（以下＋と表される）であり、サブフレーム２（第２の部分走査期間）における第１の画素群の赤色画素Ｒ１１のガンマ電圧極性は負（以下−と表される）である。フレームＮ＋１では、サブフレーム１における第１の画素群の赤色画素Ｒ１１のガンマ電圧極性は正（＋）であり、サブフレーム２における第１の画素群の赤色画素Ｒ１１のガンマ電圧極性は負（−）である。このように、ガンマ電圧極性制御装置４４は、複数の走査時間に亘って、カラー画素に対するガンマ電圧極性を設定する。
【００２４】
表示信号制御装置４１は、各画素群のカラー画素に入力する第１のサブフレーム期間における第１の表示信号と、各画素群のカラー画素に入力する第２のサブフレーム期間における第２の表示信号を供給する。第１の表示信号と第２の表示信号は、例えば明状態表示信号と暗状態表示信号であり、その組合せが元の表示信号に対応している。言い換えれば、第１のサブフレーム期間に入力される第１の表示信号と、第２のサブフレーム期間に入力される第２の表示信号によって、元の表示信号に対応する表示がなされる。
【００２５】
例えば、フレームＮ（Ｎ番目の走査期間）では、第１のサブフレーム（第１の部分走査期間）における第１の画素群の赤色画素Ｒ１１は明状態表示信号（以下Ｈと表される）によって駆動され、第２のサブフレーム（第２の部分走査期間）における第１の画素群の赤色画素Ｒ１１は暗状態表示信号（以下Ｌと表される）によって駆動され、これらの組み合わせによってフレームＮでは元の表示信号に対応する表示が行われる。また、フレームＮ＋１では、第１のサブフレームにおける第１の画素群の赤色画素Ｒ１１は明状態表示信号（Ｈ）によって駆動され、第２のサブフレームにおける第１の画素群の赤色画素Ｒ１１は暗状態表示信号（Ｌ）によって駆動され、これらの組み合わせによってフレームＮ＋１の元の表示信号に対応する表示が行われる。
【００２６】
ガンマ電圧極性制御装置４４と表示信号制御装置４１は、各カラー画素に表示信号が個々のガンマ電圧極性で印加されるように、カラー画素に表示信号を所定のガンマ電圧極性で順次印加する。例えば、第１の画素群の赤色画素Ｒ１１に対する一連の表示信号は以下の通りとなる。即ち、第１のサブフレーム期間におけるガンマ電圧極性は正（＋）である。第１のサブフレーム期間における表示信号は明状態表示信号（Ｈ）である。第２のサブフレーム期間におけるガンマ電圧極性は負（−）である。第２のサブフレーム期間における表示信号は暗状態表示信号（Ｌ）である。従って、４つのサブフレーム期間を含むフレームＮとＮ＋１において、赤色画素Ｒ１１に対する駆動電圧は＋Ｈ、−Ｌ、＋Ｈ、−Ｌの順に変化する。
【００２７】
ガンマ電圧極性制御装置４４と表示信号制御装置４１は、第１の画素群に隣接する第２の画素群の赤色画素Ｒ１２に対しても、同じ順序で変化する駆動信号を印加することができる。この場合、第２の画素群の赤色画素Ｒ１２には、第１の画素群の赤色画素Ｒ１１に対して、その変化が１サブフレーム期間分だけオフセットしている駆動信号を印加するとよい。即ち、第１のサブフレーム期間における第２の画素群の赤色画素Ｒ１２に対するガンマ電圧極性は負（−）であり、第１のサブフレーム期間における第１の表示信号は赤色画素Ｒ１２の暗状態表示信号（Ｌ）であり、第２のサブフレーム期間におけるガンマ電圧極性は正（＋）であり、第２のサブフレーム期間における表示信号は赤色画素Ｒ１２の明状態表示信号（Ｈ）である。第２の画素群内の赤色画素Ｒ１２に対する駆動電圧は−Ｌ、＋Ｈ、−Ｌ、＋Ｈの順に変化する。
【００２８】
第１の画素群の赤色画素Ｒ１１に対する駆動電圧は、＋Ｈ、−Ｌ、＋Ｈ、−Ｌの順序で変化する。一方、隣接する第２の画素群の赤色画素Ｒ１２に対する駆動電圧は、−Ｌ、＋Ｈ、−Ｌ、＋Ｈの順序で変化する。赤色画素Ｒ１１、Ｒ１２の駆動電圧は、１サブフレーム期間分のずれ（１サブフレーム期間だけ進んでいるか遅れている）を持って、等しい順序で変化する。ここで、赤色画素Ｒ１１、Ｒ１２の駆動電圧が等しい順序で変化するとは、駆動電圧を明状態表示信号Ｈと暗状態表示信号Ｌの一方に区別するとともに、ガンマ電圧極性を正又は負の一方に区別したときに、両者の駆動電圧が等しく変化することを意味し、駆動電圧の大きさ自体が等しいことを意味するものではない。隣接する他の画素群の赤色画素（Ｒ２１及びＲ２２等）についても、駆動電圧を同様に変化させることができる。以下に、４つの赤色画素Ｒ１１、Ｒ１２、Ｒ２１、Ｒ２２の多数フレーム（例えばフレームＮ、Ｎ＋１、Ｎ＋２、Ｎ＋３等）における駆動電圧の変化を示す。
Ｒ１１：（＋Ｈ、−Ｌ、＋Ｈ、−Ｌ）、＋Ｈ、−Ｌ、＋Ｈ、−Ｌ、・・・
Ｒ１２：−Ｌ、（＋Ｈ、−Ｌ、＋Ｈ、−Ｌ）、＋Ｈ、−Ｌ、＋Ｈ、−Ｌ、・・・
Ｒ２１：−Ｌ、（＋Ｈ、−Ｌ、＋Ｈ、−Ｌ）、＋Ｈ、−Ｌ、＋Ｈ、−Ｌ、・・・
Ｒ２２：（＋Ｈ、−Ｌ、＋Ｈ、−Ｌ）、＋Ｈ、−Ｌ、＋Ｈ、−Ｌ、・・・
【００２９】
上記において括弧を付けた部分は、Ｒ１２とＲ２１における変化が、Ｒ１１とＲ２２における変化に対して、１サブフレーム期間のずれを持つことを除いて、４つの赤色画素に対する駆動電圧が同じ順序で変化していることを示している。
【００３０】
図６は、他の駆動例（駆動例２）を示している。この駆動例において、第１の画素群の赤色画素Ｒ１１に対する駆動電圧は＋Ｈ、−Ｌ、＋Ｈ、−Ｌの順に変化し、第２の画素群の赤色画素Ｒ１２に対する駆動電圧は−Ｌ、＋Ｈ、−Ｌ、＋Ｈの順に変化する。これらの駆動電圧は、１サブフレーム期間のずれ（１サブフレーム期間だけ進んでいるか遅れている）を持って、同じ順序で変化する。
また、第１の画素群の緑色画素Ｇ１１に対する駆動電圧は−Ｌ、＋Ｈ、−Ｌ、＋Ｈの順に変化し、第２の画素群の緑色画素Ｇ１２に対する駆動電圧は＋Ｈ、−Ｌ、＋Ｈ、−Ｌの順に変化する。これらの駆動電圧は、１サブフレーム期間のずれ（１サブフレーム期間だけ進んでいるか遅れている）を持って、同じ順序で変化する。
また、第１の画素群の青色画素Ｂ１１に対する駆動電圧は＋Ｈ、−Ｌ、＋Ｈ、−Ｌの順に変化し、第２の画素群の青色画素Ｂ１２に対する駆動電圧は−Ｌ、＋Ｈ、−Ｌ、＋Ｈの順に変化する。これらの駆動電圧は、１サブフレーム期間のずれ（１サブフレーム期間だけ進んでいるか遅れている）を持って、同じ順序で変化する。
【００３１】
図１０は、また別の駆動例（駆動例６）を示している。この駆動例において、第１の画素群の赤色画素Ｒ１１に対する駆動電圧は＋Ｈ、−Ｌ、＋Ｈ、−Ｌの順に変化し、第２の画素群の赤色画素Ｒ１２に対する駆動電圧は−Ｌ、＋Ｈ、−Ｌ、＋Ｈの順に変化する。これらの駆動電圧は、１サブフレーム期間のずれ（１サブフレーム期間だけ進んでいるか遅れている）を持って、同じ順序で変化する。
【００３２】
図１１は、また別の駆動例（駆動例７）を示している。この駆動例において、第１の画素群の赤色画素Ｒ１１に対する駆動電圧は＋Ｈ、−Ｌ、＋Ｈ、−Ｌの順に変化し、第２の画素群の赤色画素Ｒ１２に対する駆動電圧は−Ｌ、＋Ｈ、−Ｌ、＋Ｈの順に変化する。これらの駆動電圧は、１サブフレーム期間のずれ（１サブフレーム期間だけ進んでいるか遅れている）を持って、同じ順序で変化する。
また、第１の画素群の青色画素Ｂ１１に対する駆動電圧は＋Ｈ、−Ｌ、＋Ｈ、−Ｌの順に変化し、第２の画素群の青色画素Ｂ１２に対する駆動電圧は−Ｌ、＋Ｈ、−Ｌ、＋Ｈの順に変化する。これらの駆動電圧は、１サブフレーム期間のずれ（１サブフレーム期間だけ進んでいるか遅れている）を持って、同じ順序で変化する。
【００３３】
図１４に、また別の駆動例（駆動例１０）を示す。この駆動例において、第１の画素群の赤色画素Ｒ１１に対する駆動電圧は＋Ｈ、−Ｌ、＋Ｈ、−Ｌの順に変化する。第２の画素群の赤色画素Ｒ１２に対する駆動電圧は−Ｌ、＋Ｈ、−Ｌ、＋Ｈに変化する。これらの駆動電圧は、１サブフレーム期間のずれ（１サブフレーム期間だけ進んでいるか遅れている）を持って、同じ順序で変化する。
【００３４】
（２）  駆動電圧を−Ｈ、＋Ｌ、−Ｈ、＋Ｌの順に変化させる例
次に説明する例では、駆動電圧を−Ｈ、＋Ｌ、−Ｈ、＋Ｌの順に変化させる。即ち、第１のサブフレーム期間におけるガンマ電圧極性は負（−）であり、第１のサブフレーム期間における表示信号は明状態表示信号（Ｈ）であり、第２のサブフレーム期間におけるガンマ電圧極性は正（＋）であり、第２のサブフレーム期間における表示信号は暗状態表示信号（Ｌ）である。従って、駆動電圧は、連続するフレームＮ、Ｎ＋１において、−Ｈ、＋Ｌ、−Ｈ、＋Ｌの順に変化する。
【００３５】
図５に示す駆動例１において、第１の画素群の青色画素Ｂ１１に対する駆動電圧は＋Ｌ、−Ｈ、＋Ｌ、−Ｈの順に変化し、第２の画素群の青色画素Ｂ１２に対する駆動電圧は−Ｈ、＋Ｌ、−Ｈ、＋Ｌの順に変化する。これらの駆動電圧は、１サブフレーム期間のずれを持って、同じ順序で変化する。
一方、図５に示す駆動例１において、青色画素に対する駆動電圧は−Ｈ、＋Ｌ、−Ｈ、＋Ｌの順で変化する。一方、赤色画素に対する駆動電圧は＋Ｈ、−Ｌ、＋Ｈ、−Ｌの順で変化し、これは青色画素のものとは異なっている。このように、隣接する画素群において同一色のカラー画素が同じ順序で変化する駆動電圧によって駆動される限り、隣接する画素群において異色のカラー画素は異なる順序で変化する駆動電圧で駆動されてもよい。
【００３６】
図１０に示す駆動例６において、第１の画素群の青色画素Ｂ１１に対する駆動電圧は＋Ｌ、−Ｈ、＋Ｌ、−Ｈの順で変化し、第２の画素群の青色画素Ｂ１２に対する駆動電圧は−Ｈ、＋Ｌ、−Ｈ、＋Ｌの順で変化する。これらの駆動電圧は、１サブフレーム期間のずれを持って、同じ順序で変化する。
【００３７】
図１４に示す駆動例１０において、第１の画素群の青色画素Ｂ１１に対する駆動電圧は＋Ｌ、−Ｈ、＋Ｌ、−Ｈの順で変化し、第２の画素群の青色画素Ｂ１２に対する駆動電圧は−Ｈ、＋Ｌ、−Ｈ、＋Ｌの順で変化する。これらの駆動電圧は、１サブフレーム期間のずれを持って、同じ順序で変化する。
【００３８】
（３）  駆動電圧を＋Ｈ、＋Ｌ、−Ｈ、−Ｌの順に変化させる例
次に、駆動電圧を＋Ｈ、＋Ｌ、−Ｈ、−Ｌの順に変化させる例を説明する。即ち、第１のフレーム（走査）期間の第１のサブフレーム期間におけるガンマ電圧極性は正（＋）であり、第１のフレーム期間の第１のサブフレーム期間の表示信号は明状態表示信号（Ｈ）である。第１のフレーム期間の第２のサブフレーム期間におけるガンマ電圧極性は正（＋）であり、第１のフレーム期間の第２のサブフレーム期間における表示信号は暗状態表示信号（Ｌ）である。第２のフレーム期間の第１のサブフレーム期間におけるガンマ電圧極性は負（−）であり、第２のフレーム期間の第１のサブフレーム期間における表示信号は明状態表示信号（Ｈ）である。第２のフレーム期間の第２のサブフレーム期間におけるガンマ電圧極性は負（−）であり、第２のフレーム期間の第２のサブフレーム期間における表示信号は暗状態表示信号（Ｌ）である。
【００３９】
図７は、上記した順で駆動電圧を変化させる駆動例（駆動例３）を示す。この駆動例において、第１の画素群の赤色画素Ｒ１１に対する駆動電圧は＋Ｈ、＋Ｌ、−Ｈ、−Ｌの順に変化し、第２の画素群の赤色画素Ｒ１２に対する駆動電圧は−Ｈ、−Ｌ、＋Ｈ、＋Ｌの順に変化する。隣接する画素群の赤色画素Ｒ１１、Ｒ１２に対する駆動電圧は、２サブフレーム期間のずれを除いて、同様に変化する。更に、それらに隣接する画素群の赤色画素Ｒ２１とＲ２２に対する駆動電圧も同様に変化する。赤色画素Ｒ１１、Ｒ１２、Ｒ２１、Ｒ２２に対する駆動電圧はフレームＮ、Ｎ＋１、Ｎ＋２、Ｎ＋３・・・において以下の通り変化する。
Ｒ１１：（＋Ｈ、＋Ｌ、−Ｈ、−Ｌ）、＋Ｈ、＋Ｌ、−Ｈ、−Ｌ、・・・
Ｒ１２：−Ｈ、−Ｌ、（＋Ｈ、＋Ｌ、−Ｈ、−Ｌ）、＋Ｈ、＋Ｌ、・・・
Ｒ２１：−Ｈ、−Ｌ、（＋Ｈ、＋Ｌ、−Ｈ、−Ｌ）、＋Ｈ、＋Ｌ、・・・
Ｒ２２：（＋Ｈ、＋Ｌ、−Ｈ、−Ｌ）、＋Ｈ、−Ｌ、−Ｈ、−Ｌ、・・・
上記において括弧を付けた部分は、４つの赤色画素１１、Ｒ１２、Ｒ２１、Ｒ２２に対する駆動電圧が同一順序で変化していることを示している。
【００４０】
図７に示す駆動例３において、第１の画素群の緑色画素Ｇ１１に対する駆動電圧は−Ｈ、−Ｌ、＋Ｈ、＋Ｌの順に変化し、第２の画素群の緑色画素Ｇ１２に対する駆動電圧は＋Ｈ、＋Ｌ、−Ｈ、−Ｌの順に変化する。これらの駆動電圧は、２サブフレーム期間のずれを持って、同じ順序で変化する。また、隣接する画素群の緑色画素Ｇ２１とＧ２２に対する駆動電圧も同様に、２サブフレーム期間のずれを持って、同じ順序で変化する。
また、この駆動例３において、第１の画素群の青色画素Ｂ１１に対する駆動電圧は＋Ｈ、＋Ｌ、−Ｈ、−Ｌの順に変化し、第２の画素群の青色画素Ｂ１２に対する駆動電圧は−Ｈ、−Ｌ、＋Ｈ、＋Ｌの順に変化する。これらの駆動電圧は、２サブフレーム期間のずれを持って、同じ順序で変化する。隣接する画素群の青色画素Ｇ２１とＧ２２に対する駆動電圧も同様に、２サブフレーム期間のずれを持って、同じ順序で変化する。
【００４１】
図８に示す駆動例４において、第１の画素群の緑色画素Ｇ１１に対する駆動電圧は−Ｈ、−Ｌ、＋Ｈ、＋Ｌの順に変化し、第２の画素群の緑色画素Ｇ１２に対する駆動電圧は＋Ｈ、＋Ｌ、−Ｈ、−Ｌの順に変化する。これらの駆動電圧は、２サブフレーム期間のずれを持って、同じ順序で変化する。
【００４２】
図１２に示す駆動例８において、第１の画素群の赤色画素Ｒ１１に対する駆動電圧は＋Ｈ、＋Ｌ、−Ｈ、−Ｌの順に変化し、第２の画素群の赤色画素Ｒ１２に対する駆動電圧は−Ｈ、−Ｌ、＋Ｈ、＋Ｌの順に変化する。これらの駆動電圧は、２サブフレーム期間のずれを持って、同じ順序で変化する。
また、この駆動例８において、第１の画素群の緑色画素Ｇ１１に対する駆動電圧は−Ｈ、−Ｌ、＋Ｈ、＋Ｌの順に変化し、第２の画素群の緑色画素Ｇ１２に対する駆動電圧は＋Ｈ、＋Ｌ、−Ｈ、−Ｌの順に変化する。これらの駆動電圧は、２サブフレーム期間のずれを持って、同じ順序で変化する。
また、この駆動例８において、第１の画素群の青色画素Ｂ１１に対する駆動電圧は＋Ｈ、＋Ｌ、−Ｈ、−Ｌの順に変化し、第２の画素群の青色画素Ｂ１２に対する駆動電圧は−Ｈ、−Ｌ、＋Ｈ、＋Ｌの順に変化する。これらの駆動電圧は、２サブフレーム期間のずれを持って、同じ順序で変化する。
【００４３】
図１３に示す駆動例９において、第１の画素群の緑色画素Ｇ１１に対する駆動電圧は−Ｈ、−Ｌ、＋Ｈ、＋Ｌの順に変化し、第２の画素群の緑色画素Ｇ１２に対する駆動電圧は＋Ｈ、＋Ｌ、−Ｈ、−Ｌの順に変化する。これらの駆動電圧は、２サブフレーム期間のずれを持って、同じ順序で変化する。
【００４４】
図１５に示す駆動例１１において、第１の画素群の赤色画素Ｒ１１に対する駆動電圧は＋Ｈ、＋Ｌ、−Ｈ、−Ｌの順に変化し、第２の画素群の赤色画素Ｒ１２に対する駆動電圧は−Ｈ、−Ｌ、＋Ｈ、＋Ｌの順に変化する。これらの駆動電圧は、２サブフレーム期間のずれを持って、同じ順序で変化する。
また、この駆動例１１において、第１の画素群の緑色画素Ｇ１１に対する駆動電圧は−Ｈ、−Ｌ、＋Ｈ、＋Ｌの順に変化し、第２の画素群の緑色画素Ｇ１２に対する駆動電圧は＋Ｈ、＋Ｌ、−Ｈ、−Ｌの順に変化する。これらの駆動電圧は、２サブフレーム期間のずれを持って、同じ順序で変化する。
また、この駆動例１１において、第１の画素群の青色画素Ｂ１１に対する駆動電圧は＋Ｈ、＋Ｌ、−Ｈ、−Ｌの順に変化し、第２の画素群の青色画素Ｂ１２に対する駆動電圧は−Ｈ、−Ｌ、＋Ｈ、＋Ｌの順に変化する。これらの駆動電圧は、２サブフレーム期間のずれを持って、同じ順序で変化する。
【００４５】
図１６に示す駆動例１２において、第１の画素群の緑色画素Ｇ１１に対する駆動電圧は−Ｈ、−Ｌ、＋Ｈ、＋Ｌの順に変化し、第２の画素群の緑色画素Ｇ１２に対する駆動電圧は＋Ｈ、＋Ｌ、−Ｈ、−Ｌの順に変化する。これらの駆動電圧は、２サブフレーム期間のずれを持って、同じ順序で変化する。
【００４６】
図１７に示す駆動例１３において、第１の画素群の緑色画素Ｇ１１に対する駆動電圧は−Ｈ、−Ｌ、＋Ｈ、＋Ｌの順に変化し、第２の画素群の緑色画素Ｇ１２に対する駆動電圧は＋Ｈ、＋Ｌ、−Ｈ、−Ｌの順に変化する。これらの駆動電圧は、２サブフレーム期間のずれを持って、同じ順序で変化する。
【００４７】
図１８に示す駆動例１４において、第１の画素群の緑色画素Ｇ１１に対する駆動電圧は−Ｈ、−Ｌ、＋Ｈ、＋Ｌの順に変化し、第２の画素群の緑色画素Ｇ１２に対する駆動電圧は＋Ｈ、＋Ｌ、−Ｈ、−Ｌの順に変化する。これらの駆動電圧は、２サブフレーム期間のずれを持って、同じ順序で変化する。
【００４８】
図１９に示す駆動例１５において、第１の画素群の緑色画素Ｇ１１に対する駆動電圧は−Ｈ、−Ｌ、＋Ｈ、＋Ｌの順に変化し、第２の画素群の緑色画素Ｇ１２に対する駆動電圧は＋Ｈ、＋Ｌ、−Ｈ、−Ｌの順に変化する。これらの駆動電圧は、２サブフレーム期間のずれを持って、同じ順序で変化する。
【００４９】
（４）  駆動電圧を＋Ｈ、−Ｌ、−Ｈ、＋Ｌの順に変化させる例
次に、駆動電圧を＋Ｈ、−Ｌ、−Ｈ、＋Ｌの順に変化させる例を説明する。即ち、第１のフレーム（走査）期間の第１のサブフレーム期間におけるガンマ電圧極性は正（＋）であり、第１のフレーム期間の第１のサブフレーム期間の表示信号は明状態表示信号（Ｈ）である。第１のフレーム期間の第２のサブフレーム期間におけるガンマ電圧極性は正（−）であり、第１のフレーム期間の第２のサブフレーム期間における表示信号は暗状態表示信号（Ｌ）である。第２のフレーム期間の第１のサブフレーム期間におけるガンマ電圧極性は負（−）であり、第２のフレーム期間の第１のサブフレーム期間における表示信号は明状態表示信号（Ｈ）である。第２のフレーム期間の第２のサブフレーム期間におけるガンマ電圧極性は負（＋）であり、第２のフレーム期間の第２のサブフレーム期間における表示信号は暗状態表示信号（Ｌ）である。
【００５０】
図１８に示す駆動例１４において、第１の画素群の青色画素Ｂ１１に対する駆動電圧は＋Ｌ、＋Ｈ、−Ｌ、−Ｈの順に変化し、第２の画素群の青色画素Ｂ１２に対する駆動電圧は−Ｌ、−Ｈ、＋Ｌ、＋Ｈの順に変化する。これらの駆動電圧は、２サブフレーム期間のずれを持って、同じ順序で変化する。
【００５１】
上記した駆動例を用いることによって、隣接するカラー画素を同じ順序で変化する駆動電圧で駆動しながら（少なくとも１サブフレーム期間のずれは生じる）、隣接する画素群の明状態表示信号（Ｈ）と暗状態表示信号（Ｌ）の正ガンマ電圧（＋）又は負ガンマ電圧（−）を釣り合わせることができる。例えば、隣接する画素群の同じカラー画素に対する駆動電圧を＋Ｈ、−Ｌ、＋Ｈ、−Ｌと変化させる場合、両者の駆動電圧の変化に１フレーム期間のずれを与えることによって、一方は正ガンマ電圧（＋）で駆動されるとともに他方は負ガンマ電圧（−）で駆動されることとなる。その結果、画面のちらつき又は解像力劣化が低減され、それと同時に広視野角による色ずれの低減を可能にする。
【００５２】
もう一つの例において、駆動電圧を＋Ｈ、−Ｌ、−Ｈ、＋Ｌの順に変化させる場合、両者の駆動電圧の変化に２フレーム期間のずれを与えることによって、一方は正ガンマ電圧（＋）で駆動されるとともに他方は負ガンマ電圧（−）で駆動されることとなる。
【００５３】
同じ駆動電圧変化が１フレーム期間のずれによって達成される場合でも、２フレーム期間のずれによって達成される場合でも、明状態表示信号と暗状態表示信号を用いて画素を駆動することにより広視野角において色ずれの低減を達成しながら、画面のちらつきや解像度の低下を低減することができる。
【００５４】
図１１に示す駆動例７において、第１の画素群の赤色画素Ｒ１１の駆動電圧変化は＋Ｈ、−Ｌ、＋Ｈ、−Ｌである。第２の画素群の赤色画素Ｒ１２の駆動電圧変化は−Ｌ、＋Ｈ、−Ｌ、＋Ｈである。第３の画素群の赤色画素Ｒ２１の駆動電圧変化は＋Ｈ、−Ｌ、＋Ｈ、−Ｌである。第４の画素群の赤色画素Ｒ２２の駆動電圧変化は−Ｌ、＋Ｈ、−Ｌ、＋Ｈである。このように、隣接する４つの画素群において赤色画素の駆動電圧変化は同一である。
同様に、この駆動例７において、第１の画素群の緑色画素Ｇ１１の駆動電圧変化は−Ｌ、＋Ｈ、−Ｌ、＋Ｈである。第２の画素群の緑色画素Ｒ１２の駆動電圧変化は＋Ｈ、−Ｌ、＋Ｈ、−Ｌである。第３の画素群の緑色画素Ｇ２１の駆動電圧変化は−Ｌ、＋Ｈ、−Ｌ、＋Ｈである。第４の画素群の緑色画素Ｇ２２の駆動電圧変化は＋Ｈ、−Ｌ、＋Ｈ、−Ｌである。このように、隣接する４つの画素群において緑色画素の駆動電圧変化は同一である。
同様に、この駆動例７において、第１の画素群の青色画素Ｂ１１の駆動電変化は＋Ｈ、−Ｌ、＋Ｈ、−Ｌである。第２の画素群の青色画素Ｂ１２の駆動電圧変化は−Ｌ、＋Ｈ、−Ｌ、＋Ｈである。第３の画素群の青色画素Ｂ２１の駆動電圧変化は＋Ｈ、−Ｌ、＋Ｈ、−Ｌである。第４の画素群の青色画素Ｂ２２の駆動電圧変化は−Ｌ、＋Ｈ、−Ｌ、＋Ｈである。このように、隣接する４つの画素群において青色画素の駆動電圧変化は同一である。
このように、駆動例７では、隣接する４つの画素群において各カラー画素（赤、緑、青）の駆動電圧変化はそれぞれ同じであり、最良の表示効果が達成される。同様に、駆動例３（図７）、駆動例８（図１２）、駆動例１１（図１５）において、隣接する４つの画素群において各カラー画素（赤、緑、青）の駆動電圧変化はそれぞれ同じであり、最良の表示効果が同様に達成される。
【００５５】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
本明細書または図面に説明した技術要素は、単独であるいは各種の組み合わせによって技術的有用性を発揮するものであり、出願時の請求項に記載の組み合わせに限定されるものではない。また、本明細書または図面に例示した技術は複数の目的を同時に達成するものであり、そのうちの一つの目的を達成すること自体で技術的有用性を持つものである。
【図面の簡単な説明】
【００５６】
【図１】ユーザの観察位置Ｑを観察方向（φ，θ）で示す模式図。
【図２ａ】赤色光のグレースケール値と正規化光透過率の関係を示すグラフ。
【図２ｂ】緑色光のグレースケール値と正規化光透過率の関係を示すグラフ。
【図２ｃ】青色光のグレースケール値と正規化光透過率の関係を示すグラフ。
【図３ａ】従来の駆動技術による暗状態表示信号と明状態表示信号を示す図。
【図３ｂ】駆動電圧とグレースケール値の関係を示す図。
【図３ｃ】液晶パネルの基板間電圧と液晶分子の光透過率の関係を示す図。
【図４】液晶表示装置の構成を示すブロック図。
【図５】駆動例１による各画素に対する駆動電圧の変化を示す図。
【図６】駆動例２による各画素に対する駆動電圧の変化を示す図。
【図７】駆動例３による各画素に対する駆動電圧の変化を示す図。
【図８】駆動例４による各画素に対する駆動電圧の変化を示す図。
【図９】駆動例５による各画素に対する駆動電圧の変化を示す図。
【図１０】駆動例６による各画素に対する駆動電圧の変化を示す図。
【図１１】駆動例７による各画素に対する駆動電圧の変化を示す図。
【図１２】駆動例８による各画素に対する駆動電圧の変化を示す図。
【図１３】駆動例９による各画素に対する駆動電圧の変化を示す図。
【図１４】駆動例１０による各画素に対する駆動電圧の変化を示す図。
【図１５】駆動例１１による各画素に対する駆動電圧の変化を示す図。
【図１６】駆動例１２による各画素に対
【図１７】駆動例１３による各画素に対する駆動電圧の変化を示す図。
【図１８】駆動例１４による各画素に対する駆動電圧の変化を示す図。
【図１９】駆動例１５による各画素に対する駆動電圧の変化を示す図。
【符号の説明】
【００５７】
１０：カラー表示装置
１１：第１の画素群
１２：第２の画素群
１３：第３の画素群
４０：駆動システム
４１：表示信号制御装置
４４：電圧極性制御装置
４５：タイミング制御装置
１１１、１２１：赤色画素
１１２、１２２：緑色画素
１１３、１２３：青色画素
２００：液晶表示装置
【図１】
2006276852.tif 000003
【図２ａ】
2006276852.tif 000004
【図２ｂ】
2006276852.tif 000005
【図２ｃ】
2006276852.tif 000006
【図３ａ】
2006276852.tif 000007
【図３ｂ】
2006276852.tif 000008
【図３ｃ】
2006276852.tif 000009
【図４】
2006276852.tif 000010
【図５】
2006276852.tif 000011
【図６】
2006276852.tif 000012
【図７】
2006276852.tif 000013
【図８】
2006276852.tif 000014
【図９】
2006276852.tif 000015
【図１０】
2006276852.tif 000016
【図１１】
2006276852.tif 000017
【図１２】
2006276852.tif 000018
【図１３】
2006276852.tif 000019
【図１４】
2006276852.tif 000020
【図１５】
2006276852.tif 000021
【図１６】
2006276852.tif 000022
【図１７】
2006276852.tif 000023
【図１８】
2006276852.tif 000024
【図１９】
2006276852.tif 000025